(57)【要約】      （修正有）【課題】目の内側の結膜を切開することを最小化することで結膜の傷あとを減少させ、内部固定施術が容易である眼窩脂肪再配置手術用ニードル器具を提供する。【解決手段】涙嚢溝に下方へと再配置される眼窩脂肪を固定するために使われる円弧状の眼窩脂肪再配置手術用ニードル器具１０であって、ニードルホルダーによってグラブされるボディー部１００、ボディー部１００の両側にそれぞれ一方の片２１０と他方の片２２０がだんだん尖るように延長して形成され、一方の片２１０は先端が鈍いラウンドチップからなり、他方の片２２０は鋭いラウンドチップからなったり三角形状にカッティングされたチップを持つように構成されるニードル部２００、及び通孔３１０がニードル器具１０の一方の片２１０の一端から全体円弧の長さの１／５〜１／６の長さに該当する位置に貫通して形成されて糸が繋がったり、通孔３１０が貫通して形成されて糸を連結した後、ボディー部１００をプレス機で圧搾して糸が付着される糸結合部３００を含む。【選択図】図２ａ
0003212586.tif 000002
【実用新案登録請求の範囲】
【請求項１】
眼窩脂肪再配置手術の時、涙嚢溝に下方へと再配置される眼窩脂肪を固定するために使われる円弧状のニードル器具であって、
円弧状のボディー部、
前記ボディー部の両端に尖るように形成されたニードル部、及び、
前記ボディー部の一側に糸が付着される糸結合部を含む、眼窩脂肪再配置手術用ニードル器具。
【請求項２】
眼窩脂肪再配置手術の時、涙嚢溝に下方へと再配置される眼窩脂肪を固定するために使われる円弧状のニードル器具であって、
四角の断面を持ち、手術の際にニードルホルダーによってグラブされるボディー部、
前記ボディー部の両側にそれぞれ一方の片と他方の片がだんだん尖るように延長して形成され、ラウンドチップからなり、一方の片が他方の片より鈍く形成されたニードル部、及び、
ボディー部の一端部に備えられ、通孔が貫通して形成されて糸が繋がったり、通孔が貫通して形成され、糸を連結した後ボディー部をプレス機で圧搾して糸が付着される糸結合部を含む、眼窩脂肪再配置手術用ニードル器具。
【請求項３】
眼窩脂肪再配置手術の時、涙嚢溝に下方へと再配置される眼窩脂肪を固定するために使われる円弧状のニードル器具であって、
四角の断面を持ち、手術の際にニードルホルダーによってグラブされるボディー部、
前記ボディー部の両側にそれぞれ一方の片と他方の片がだんだん尖るように延長して形成され、一方の片はラウンドチップからなり、他方の片は三角形状にカッティングされたチップを持つニードル部、及び、
ボディー部の一端部に備えられ、通孔が貫通して形成されて糸が繋がったり、通孔が貫通して形成され、糸を連結した後ボディー部をプレス機で圧搾して糸が付着される糸結合部を含む、眼窩脂肪再配置手術用ニードル器具。
【請求項４】
前記ボディー部は角がラウンドになったことを特徴とする、請求項１ないし請求項３のいずれか一項に記載の眼窩脂肪再配置手術用ニードル器具。
【請求項５】
前記ニードル器具は、円（サークル）の３／８の円弧状を持ち、
前記糸結合部はニードル器具の一端から全体長さの１／５〜１／６に該当し、ボディー部の一端から０．５〜１ｍｍ離れた位置に形成されたことを特徴とする、請求項１ないし請求項３のいずれか一項に記載の眼窩脂肪再配置手術用ニードル器具。
【請求項６】
目の内側の切開された結膜を通じてニードル器具を下に挿入し、ニードル器具が眼窩脂肪と糸で繋がるようにした状態で、前記他方の片が涙嚢溝の皮膚組織を貫いて外部へ露出されるようにした後、ニードル器具を移動または回転させた後、ニードル器具を前記一方の片から皮膚から抜き取ると、糸が皮膚の中に引っかかり、
眼窩脂肪の一部を下側に引っ張って涙嚢溝で再配置し、糸を結ぶと再配置された眼窩脂肪が皮膚組織の中に引っかかった糸によって固定されることを特徴とする、請求項１ないし請求項３のいずれか一項に記載の眼窩脂肪再配置手術用ニードル器具。
【考案の詳細な説明】
【技術分野】
【０００１】
本考案は、手術用ニードル器具に係り、より詳しくは、眼窩脂肪の分布によって眼窩脂肪の一部を広げ、目の下の凹んだ涙嚢溝に再配置する、眼窩脂肪再配置手術用ニードル器具に関する。
【背景技術】
【０００２】
一般に、年を取ることにつれ、下のまぶたの脂肪を取り囲んでいた眼窩隔膜が弱くなれば、眼窩隔膜の中の脂肪が目の下へふくらっと飛び出て垂れるようになる。その結果、鼻の横の骨格に沿って影が差したり、皮膚の上に色素が沈着しながら目の下が暗く見えるクマ（ダークサークル）ができたりするし、皮膚が垂れ、しわが生じることにより、顔が疲れたように見えることもある。このように、目の下に脂肪が蓄積される原因は、一種の老化現象として知られており、甲状腺機能亢進症や腎不全症、鼻炎、喘息などの疾病を伴う場合もある。
【０００３】
眼窩脂肪は、一度生じるとマッサージや経絡のような方法では取りにくく、自然に元どおりに回復されないので、形成外科などで眼窩脂肪を外科的にとり除いて矯正する必要がある。このように眼窩脂肪を除去しながら目の下のしわを減らす手術は、下眼瞼形成術（Ｌｏｗｅｒ ｅｙｅｌｉｄ ｓｕｒｇｅｒｙ）と呼ばれるが、眉の下を切開して手術する時、手術部位の周りにあざがよく発生し、涙袋が消えて顔がふくらみがないように見えるし、眼瞼外反やちぢまりのような合併症が発生する問題がある。
【０００４】
最近、目の下の脂肪を完全にとり除くのではなく、眼窩脂肪の分布によって不要な脂肪は一部除去し、残り一部は目の下の凹んだ涙嚢溝に再配置することで、クマを解決して眼窩のへこみを最小化する眼窩脂肪再配置手術が行われている。
【０００５】
眼窩脂肪再配置手術に係る従来技術として、目の下の皮膚を切開して施術する皮膚切開施術方法と、目の内側の結膜を切開して施術する結膜切開施術方法があるが、皮膚のたれが酷くなければ、外部から傷あとがあまり見えない結膜切開施術方法が好まれている。
【０００６】
このような結膜切開施術方法の際に、ふくらっと飛び出た眼窩脂肪を涙嚢溝に再配置して固定する方法としては、外部固定方法と内部固定方法がある。
【０００７】
外部固定方法は、眼窩脂肪を糸で結んだ後、針を用いて外側方向へ抜き取り、抜き取った糸をテーピングして固定し、おおよそ一週間程維持しながら移動された脂肪の自然的な癒着を誘導する方法であり、内部固定方法は、剥離された涙嚢溝の下の部位で眼窩脂肪を内側から糸で固定する方法である。
【０００８】
外部固定方法は、結膜を通じるので施術が容易であり、眼窩脂肪を剥離された空間の下まで十分に移動させられる長所があるが、テーピングが必要で、糸を取り除くために患者が手術後一週間以内に来院しなければならないし、皮膚を貫いた糸とテーピングによって皮膚トラブルや炎症などが発生する問題がある。
【０００９】
内部固定方法は、外部固定方法に比べてより堅固で、再発も少ないし、テーピング及び糸を除去するために患者が来院しなくても良い長所があるが、結膜切開の際に視野が非常に狭いので内部を固定することが難しく、視野を確保するために切開線を長く形成しなければならないので、結膜での傷あとがひどくなることがあるし、癒着の可能性もある上、狭い手術空間によって眼窩脂肪が涙嚢溝に十分に降りることができないため、施術効果が落ちる問題がある。
【００１０】
また、これに関する従来技術として、特許文献１に、形成用手術糸を備えた形成手術用ニードルが公開されている。
【先行技術文献】
【特許文献】
【００１１】
【特許文献１】韓国公開特許第１０−２０１５−０１０７２９２号公報
【考案の概要】
【考案が解決しようとする課題】
【００１２】
本考案は、上述した問題を全て解決するために案出されたもので、目の内側の結膜の切開を最小化して結膜の傷あとを減少させ、内部固定施術が容易であり、眼窩脂肪が涙嚢溝に充分に降りて再配置されるので施術効果が増大し、堅固な内部への固定が可能なので再発の可能性が最小化され、施術後の皮膚損傷及び皮膚表面がでこぼこになるディンプル現象を防止することができる、眼窩脂肪再配置手術用ニードル器具を提供することにその目的がある。
【００１３】
また、本考案は、ニードルホルダーによる堅固なグラブが可能であり、ニードルの強度が保たれて施術中に施術者がニードルを落としたり、ニードルが折れないので、施術安定性と針の耐久性を増加させることにもその目的がある。
【００１４】
また、本考案は、テーピングによる患者の不便を防止し、テーピング及び糸を除去するために患者が来院する必要がなく、皮膚を貫いた糸とテーピングによる皮膚トラブルや炎症を発生させないことにもその目的がある。
【課題を解決するための手段】
【００１５】
本考案は、円弧状のボディー部、前記ボディー部の両端に尖るように形成されたニードル部、及び前記ボディー部の一側に糸が付着する糸結合部を含む、眼窩脂肪再配置手術用ニードル器具を提供する。
【００１６】
また、本考案は、四角の断面を持ち、手術の際にニードルホルダーによってグラブされるボディー部、前記ボディー部の両側にそれぞれ一方の片と他方の片がだんだん尖るように延長して形成され、ラウンドチップからなるし、一方の片が他方の片より鈍く形成されたニードル部、及びボディー部の一端部に備えられ、通孔が貫通して形成されて糸が繋がったり、通孔が貫通して形成されて糸を繋いだ後、ボディー部をプレス機で圧搾して糸が付着される糸結合部を含む、眼窩脂肪再配置手術用ニードル器具を提供する。  
【００１７】
また、本考案は四角の断面を持ち、手術する際にニードルホルダーによってグラブされるボディー部、前記ボディー部の両側にそれぞれ一方の片と他方の片がだんだん尖るように延長して形成され、一方の片はラウンドチップからなり、他方の片は三角形状にカッティングされたチップを持つニードル部、及びボディー部の一端部に備えられ、通孔が貫通して形成されて糸が繋がったり、通孔が貫通して形成されて糸を繋いだ後、ボディー部をプレス機で圧搾して糸が付着される糸結合部を含む、眼窩脂肪再配置手術用ニードル器具を提供する。
【考案の効果】
【００１８】
本考案によると、目の内側の結膜切開を最小化して結膜の傷あとを減少し、内部固定施術が容易であり、眼窩脂肪が涙嚢溝まで充分に降りて再配置されるので、施術効果が増大し、堅固な内部固定が可能であって再発可能性が最小化され、施術後の皮膚損傷及び皮膚の表面がでこぼこになるディンプル現象を防止することができる効果がある。
【００１９】
また、本考案は、ニードルホルダーによる堅固なグラブが可能であり、ニードルの強度が保たれて施術中に施術者がニードルを落としたりニードルが折れないため、施術安定性と針の耐久性が増加する効果もある。
【００２０】
また、本考案は、テーピングによる患者の不便を防止し、テーピング及び糸を除去するために患者が来院する必要がなく、皮膚を貫いた糸とテーピングによる皮膚トラブルや炎症が発生しない効果もある。
【図面の簡単な説明】
【００２１】
【図１】従来の内部切開方法による眼窩脂肪再配置手術過程を図示した図面である。
【図２ａ】本考案の実施例によるニードル器具の正面図である。
【図２ｂ】本考案の実施例によるニードル器具の平面図である。
【図２ｃ】本考案の実施例による円弧状のニードル器具を広げた展開図である。
【図３ａ】本考案の実施例によるニードル器具の正面図である。
【図３ｂ】本考案の実施例によるニードル器具の平面図である。
【図３ｃ】本考案の実施例による円弧状のニードル器具を広げた展開図である。
【図４ａ】本考案の実施例によるニードル器具の正面図である。
【図４ｂ】本考案の実施例によるニードル器具の平面図である。
【図４ｃ】本考案の実施例による円弧状のニードル器具を広げた展開図である。
【図５ａ】本考案の実施例によるニードル器具の正面図である。
【図５ｂ】本考案の実施例によるニードル器具の平面図である。
【図５ｃ】本考案の実施例による円弧状のニードル器具を広げた展開図である。
【図６ａ】本考案の実施例によるニードル器具を利用した眼窩脂肪再配置手術の過程を図示した図面である。
【図６ｂ】本考案の実施例によるニードル器具を利用した眼窩脂肪再配置手術の過程を図示した図面である。
【図６ｃ】本考案の実施例によるニードル器具を利用した眼窩脂肪再配置手術の過程を図示した図面である。
【図６ｄ】本考案の実施例によるニードル器具を利用した眼窩脂肪再配置手術の過程を図示した図面である。
【図７ａ】本考案の実施例によるニードル器具の糸を皮膚に固定する詳細過程を図示した図面である。
【図７ｂ】本考案の実施例によるニードル器具の糸を皮膚に固定する詳細過程を図示した図面である。
【図７ｃ】本考案の実施例によるニードル器具の糸を皮膚に固定する詳細過程を図示した図面である。
【図７ｄ】本考案の実施例によるニードル器具の糸を皮膚に固定する詳細過程を図示した図面である。
【図７ｅ】本考案の実施例によるニードル器具の糸を皮膚に固定する詳細過程を図示した図面である。
【図７ｆ】本考案の実施例によるニードル器具の糸を皮膚に固定する詳細過程を図示した図面である。
【図８】本考案の実施例によるニードル器具を利用した眼窩脂肪再配置手術後の結果を図示した図面である。
【考案を実施するための形態】
【００２２】
以下に、図面を参考して本考案による眼窩脂肪再配置手術用ニードル器具を実施するための具体的内容について、実施例を中心にして詳細に説明する。
本考案による眼窩脂肪再配置手術用ニードル器具１０は、眼窩脂肪の分布によって眼窩脂肪の一部を広げて目の下の凹んだ涙嚢溝に下方へと再配置させる時に眼窩脂肪を固定するために使われるもので、円（ｃirｃlｅ）の３／８の大きさを有する円弧状からなり、ボディー部１００、ニードル部２００、及び糸結合部３００を含む。
【００２３】
前記ボディー部１００は、手術する際に針をつまむ道具であるニードルホルダーでグラブされて使われる部分であって四角の断面を持ち、上下にやや長い形態からなることが望ましい。
【００２４】
このように、ボディー部１００が四角の断面を持つので、円形の断面に比べてニードルに対する容易且つ堅固なグラブが可能となって、施術者がニードル器具を落とさないので施術安定性が増大し、糸結合部３００に通孔３１０を空いても針の耐久性が保たれ、プレス機で圧搾する時に作業が容易というメリットがある。
【００２５】
前記ニードル部２００は、前記ボディー部１００の両側にそれぞれ一方の片２１０と他方の片２２０が端部に行くほどだんだん尖るように延長して形成され、針として機能して目の下の脂肪や皮膚に侵透させて抜き取るように備えられ、針が一端にのみ形成された従来と違い、両端に形成されることで結膜を通じて内部へ接近する時、制限された視野でも目の下の脂肪に対する内部固定施術が容易で、結膜の切開を最小化することができ、眼窩脂肪に対する下方固定の信頼性が増加し、固定力が優秀になる。
【００２６】
このとき、一実施例として図２ａないし図２ｃを参考すれば、一方の片２１０と他方の片２２０の端部がラウンドチップからなり、一方の片２１０のラウンドチップが他方の片２２０のラウンドチップより鈍く形成される。
【００２７】
これは皮膚６を貫かなければならない他方の片２２０のラウンドチップは、一方の片２１０より鋭く形成することでニードル器具１０が皮膚を貫きやすいようにし、皮下組織７の中に侵透する一方の片２１０のラウンドチップは、他方の片２２０より鈍く形成することでニードル器具１０が皮下組織７の中で回転したり、皮下組織７の外へ抜け出す時、皮下組織７内の血管と神経などの損傷を最小化し、結膜３と接した眼球８を最大限に保護することができる。
【００２８】
前記糸結合部３００は、前記ボディー部１００の一端部にのみ形成されて他端部には形成されないで、糸３２０が結合される。一例として、図２ａないし図２ｃのように前記糸結合部３００に通孔３１０が貫通して形成されるように糸連結タイプに製造した後、施術者が糸３２０を通孔３１０に連結して使うことができる。別の例として、図３ａないし図３ｃのように、前記糸結合部３００に通孔３１０を貫通形成して通孔３１０に糸を通した状態で、ボディー部１００の両面をプレス機で圧搾し、糸を糸結合部３００に付着した糸付着タイプに製造した後、施術者が便利に使うことができる。このような糸付着タイプは、糸結合部３００ではなくボディー部１００の両面全体をプレス機で圧搾するが、これは通孔３１０が貫通して形成された糸結合部３００のみ圧搾する場合、糸結合部３００だけ厚さが薄くなってニードル器具１０の強度と耐久性が低下し、施術中に折れることがあるためである。糸付着タイプは、糸連結タイプよりボディー部１００の断面が正方形に近くなる。
【００２９】
このとき、前記糸結合部３００は一方の片２１０に最も近い位置に形成されることが望ましい。例えば、ニードル器具１０の一端から全体円弧の長さの１／５〜１／６に該当し、前記一方の片２１０とボディー部１００の境界面からボディー部１００の方へ０．５〜１ｍｍ離れたところに形成されてもよい。これは前記糸結合部３００が一方の片２１０に形成される場合、ニードル器具の強度が弱くなって施術中に針が折れることがあり、前記糸結合部３００がボディー部１００の中央に近く形成されるほど、他方の片２２０が結膜３の方向から見えないくらい皮膚６の方向へとニードル器具１０を抜き取るとき、前記糸結合部３００が皮膚６へとても近くに行ったり、皮膚を貫くことになる場合、施術した後で皮膚の表面がでこぼこになる現象のディンプルが発生し得るからである。
【００３０】
一方、図４ａないし図４ｃを参考すれば、前記ニードル部２００は一方の片２１０の端部はラウンドチップからなり、他方の片２２０は全体的にラウンド形状ではあるが皮膚貫通をより容易にするために、端部が三角形状にカッティングされたチップを持つように構成され、他方の片２２０の端部は先端から１〜２ｍｍ程度の大きさである。
【００３１】
これは皮膚６を貫かなければならない他方の片２２０の端部の三角形状にカッティングされたチップは、ニードル器具１０の皮膚貫通を容易にし、皮下組織７の中に侵透する一方の片２１０の鈍いラウンドチップは、ニードル器具１０が皮下組織７の中で回転したり、皮下組織７の外に抜け来る時、皮下組織７内の血管と神経などの損傷を最小化して、結膜３と接した眼球８を最大限に保護することができる。
【００３２】
前記糸結合部３００は、一例として図４ａないし図４ｃのように、前記糸結合部３００に通孔３１０が貫通して形成されるように糸連結タイプで製造した後、施術者が糸３２０を通孔３１０に連結して使うことができる。別の例として図５ａないし図５ｃのように、前記糸結合部３００に通孔３１０を貫通形成し、通孔３１０に糸を通した状態でボディー部１００の両面をプレス機で圧搾し、糸を糸結合部３００に付着した糸付着タイプに製造した後、施術者が便利に使うことができる。このような実付着タイプは、糸結合部３００ではなくボディー部１００の両面全体をプレス機で圧搾するが、これは通孔３１０が貫通して形成された糸結合部３００だけ圧搾する場合、糸結合部３００のみ厚さが薄くなってニードル器具１０の強度と耐久性が低下し、施術中に折れる可能性があるためである。糸付着タイプは、糸連結タイプよりボディー部１００の断面が正方形に近くなる。
【００３３】
以下、図６ａないし図７ｆを参考にして、本考案によるニードル器具１０を利用した手術過程を説明する。
【００３４】
電気メスやレーザーで下の方のまぶた２の内側の結膜３を最小限に切開し、図６ａのように切開された結膜３を通じて本考案のニードル器具１０を下の方へ挿入しながらニードル器具１０と眼窩脂肪４が糸で繋がるようにする。ニードル器具１０が眼窩１の下側の涙嚢溝５に至ると、ニードル器具１０の他方の片２２０が涙嚢溝５の外側の皮下組織７と皮膚６を貫くようにして外部へ露出させ、一方の片２１０は糸３２０と共に皮下組織７の中に浸透された状態となる。
【００３５】
このとき、図６ｂのように外部でニードル器具１０を回転または移動した後、図６ｃのようにニードル器具１０を一方の片２１０より皮下組織７から抜き取ってニードル器具１０を上方へ引っ張ると、図６ｄのように糸３２０が皮下組織７の中に引っかかる。これは前記ボディー部１００が円弧状からなり、両側部に尖ったニードル部２００が形成されていることによって可能なことである。
【００３６】
この過程を一例を挙げてより詳細に説明すれば、図７ａ及び図７ｂのようにニードル器具１０の他方の片２２０を皮下組織７の中に浸透させて図７ｃのように他方の片２２０が皮膚６外側へ抜け来るようにした後、一方の片２１０が皮下組織７の中で完全に埋められた状態になると、図７ｄのように外部でニードル器具１０の方向を変えて図７ｅのようにニードル器具１０を中に押し入れて内側に抜き取ると、図７ｆのように糸３２０が皮下組織７の中に引っかかる。
【００３７】
以後、眼窩脂肪４の一部を下側に引っ張って凹んだ涙嚢溝５に再配置させ、糸３２０を結ぶと再配置された眼窩脂肪４が皮下組織７の中で引っかかった糸３２０によって固定されるので、眼窩脂肪の内部固定施術が容易となり、眼窩脂肪が涙嚢溝まで充分降りて再配置されるので、施術効果が増大し、固定力が優れていることからほとんど再発しない。
【００３８】
このように、本考案によるニードル器具１０を利用して手術が完了されると、図８のようにクマは解決されるし、目の下の脂肪が再配置されて眼窩のぽこんだ涙嚢溝からほお骨まで十分な面積に亘って目の下のボリュームが生き返えるように変化し、自然な童顔に変化される。
【００３９】
結局、本考案による眼窩脂肪再配置手術用ニードル器具１０は、円弧状を持って両端に相互異なる形状を持つニードル部を備えた器具を使うことにより、目の内側の結膜切開を最小化して結膜の傷あとを減少させ、内部固定施術が容易であり、眼窩脂肪が涙嚢溝まで充分に降りて再配置されるので手術効果が増大し、堅固な内部固定が可能となって再発可能性が最小化され、施術後の皮膚損傷及び皮膚の表面がでこぼこになるディンプル現象を防止することができ、また、ニードルホルダーによる堅固なグラブが可能でニードルの強度が維持されるので、施術中に手術者がニードルを落としたりニードルが折れなくて手術安定性と針の耐久性が増加し、また、テーピングによる患者の不便を防止し、テーピング及び糸を除去するために患者が来院する必要がなく、皮膚を貫いた糸とテーピングによる皮膚トラブルや炎症が発生しない。
【００４０】
本考案における前記実施形態は一つの例示であって、本考案がこれに限定されることはない。本考案の請求範囲に記載された技術的思想と実質的に同一の構成を有し、同一な作用効果をなすことは、如何なるものであっても本考案の技術的範囲に含まれる。
【符号の説明】
【００４１】
１：眼窩（Ｏｒｂｉｔ）
２：まぶた（Ｅｙｅ  ｌｉｄ）
３：結膜（Ｃｏｎｊｕｎｃｔｉｖａ）
４：眼窩脂肪（Ｏｒｂｉｔ  ｆａｔ）
５：涙嚢溝（Ｔｅａｒ  ｔｒｏｕｇｈ）
６：皮膚（Ｓｋｉｎ）
７：皮下組織（Ｓｕｂｃｕｔａｎｅｏｕｓ  ｔｉｓｓｕｅ）
８：眼球（Ｅｙｅ  ｂａｌｌ）
９：上顎骨（ｍａｘｉｌｌａｂｏｎｅ）
１０：ニードル器具
１００：ボディー部
２００：ニードル部
２１０：一方の片
２２０：他方の片
３００：糸結合部
３１０：通孔
３２０：糸
【図１】
0003212586.tif 000003
【図２ａ】
0003212586.tif 000004
【図２ｂ】
0003212586.tif 000005
【図２ｃ】
0003212586.tif 000006
【図３ａ】
0003212586.tif 000007
【図３ｂ】
0003212586.tif 000008
【図３ｃ】
0003212586.tif 000009
【図４ａ】
0003212586.tif 000010
【図４ｂ】
0003212586.tif 000011
【図４ｃ】
0003212586.tif 000012
【図５ａ】
0003212586.tif 000013
【図５ｂ】
0003212586.tif 000014
【図５ｃ】
0003212586.tif 000015
【図６ａ】
0003212586.tif 000016
【図６ｂ】
0003212586.tif 000017
【図６ｃ】
0003212586.tif 000018
【図６ｄ】
0003212586.tif 000019
【図７ａ】
0003212586.tif 000020
【図７ｂ】
0003212586.tif 000021
【図７ｃ】
0003212586.tif 000022
【図７ｄ】
0003212586.tif 000023
【図７ｅ】
0003212586.tif 000024
【図７ｆ】
0003212586.tif 000025
【図８】
0003212586.tif 000026
【手続補正書】
【提出日】平成29年7月20日(2017.7.20)
【手続補正１】
【補正対象書類名】実用新案登録請求の範囲
【補正対象項目名】全文
【補正方法】変更
【補正の内容】
【実用新案登録請求の範囲】
【請求項１】
眼窩脂肪再配置手術の時、涙嚢溝に下方へと再配置される眼窩脂肪を固定するために使われる円弧状のニードル器具であって、
円弧状のボディー部、
前記ボディー部の両端に尖るように形成されたニードル部、及び、
前記ボディー部の一側に糸が付着される糸結合部を含む、眼窩脂肪再配置手術用ニードル器具。
【請求項２】
眼窩脂肪再配置手術の時、涙嚢溝に下方へと再配置される眼窩脂肪を固定するために使われる円弧状のニードル器具であって、
四角の断面を持ち、手術の際にニードルホルダーによってグラブされるボディー部、
前記ボディー部の両側にそれぞれ一方の片と他方の片がだんだん尖るように延長して形成され、ラウンドチップからなり、一方の片が他方の片より鈍く形成されたニードル部、及び、
ボディー部の一端部に備えられ、通孔が貫通して形成されて糸が繋がったり、通孔が貫通して形成され、糸を連結した後ボディー部をプレス機で圧搾して糸が付着される糸結合部を含む、眼窩脂肪再配置手術用ニードル器具。
【請求項３】
眼窩脂肪再配置手術の時、涙嚢溝に下方へと再配置される眼窩脂肪を固定するために使われる円弧状のニードル器具であって、
四角の断面を持ち、手術の際にニードルホルダーによってグラブされるボディー部、
前記ボディー部の両側にそれぞれ一方の片と他方の片がだんだん尖るように延長して形成され、一方の片はラウンドチップからなり、他方の片は三角形状にカッティングされたチップを持つニードル部、及び、
ボディー部の一端部に備えられ、通孔が貫通して形成されて糸が繋がったり、通孔が貫通して形成され、糸を連結した後ボディー部をプレス機で圧搾して糸が付着される糸結合部を含む、眼窩脂肪再配置手術用ニードル器具。
【請求項４】
前記ボディー部は角がラウンドになったことを特徴とする、請求項１ないし請求項３のいずれか一項に記載の眼窩脂肪再配置手術用ニードル器具。
【請求項５】
前記ニードル器具は、円（サークル）の３／８の円弧状を持ち、
前記糸結合部はニードル器具の一端から全体長さの１／５〜１／６に該当し、ボディー部の一端から０．５〜１ｍｍ離れた位置に形成されたことを特徴とする、請求項１ないし請求項３のいずれか一項に記載の眼窩脂肪再配置手術用ニードル器具。